【手続補正書】
【提出日】平成30年5月23日(2018.5.23)
【手続補正１】
【補正対象書類名】特許請求の範囲
【補正対象項目名】全文
【補正方法】変更
【補正の内容】
【特許請求の範囲】
【請求項１】
第１のデバイスによって行われる方法であって、
第２のデバイスとのワイヤレスドッキングセッションを確立することと、
前記第２のデバイスのプロファイルが前記第１のデバイスに記憶された複数のプロファイルのうちの１つと一致するかどうかを決定することと、ここにおいて、前記プロファイルは、オペレーティングシステムのユーザインターフェースを特徴付けるパラメータまたは関数のうちの少なくとも１つのセットを備え、前記第１のデバイスの前記オペレーティングシステムのユーザインターフェースを特徴付けるパラメータまたは関数のうちの前記少なくとも１つの前記セットの少なくとも１つが、前記第２のデバイスの前記オペレーティングシステムのユーザインターフェースを特徴付けるパラメータまたは関数のうちの前記少なくとも１つの前記セットと同じであるときに、プロファイルが一致する、
前記第２のデバイスの前記プロファイルが前記第１のデバイスに記憶された前記複数のプロファイルのうちの１つと一致するときに、前記第２のデバイスの前記オペレーティングシステムのユーザインターフェースに対応する視覚化を前記第２のデバイスに与えるフォーマットで前記第２のデバイスにデータをエクスポートすることと
を備える、方法。
【請求項２】
前記第２のデバイスの前記プロファイルが前記第１のデバイスに記憶された前記複数のプロファイルのうちの１つと一致しないときに、エラーメッセージを提供すること
をさらに備える、請求項１に記載の方法。
【請求項３】
前記第２のデバイスの前記プロファイルが前記第１のデバイスに記憶された前記複数のプロファイルのうちの１つと一致しないときに、前記第１のデバイスのデフォルトのプロファイルに関連付けられたフォーマットで前記第２のデバイスにデータをエクスポートすること
をさらに備える、請求項１に記載の方法。
【請求項４】
前記第２のデバイスが前記第１のデバイスの近接範囲内にあるときに前記第２のデバイス上に表示するための通知を提供することと、
前記第２のデバイスが前記第１のデバイスの前記近接範囲を越えているときに前記第１のデバイス上に表示するための前記通知を提供することと
をさらに備える、請求項１に記載の方法。
【請求項５】
帯域幅利用可能性に基づいて前記第２のデバイスにエクスポートするための前記データの属性を調整すること
をさらに備え、オプションとして、
前記属性は、ファイルサイズ、リフレッシュレート、ディスプレイ解像度、ビットレート、品質パラメータ、またはドメインのうちの少なくとも１つを備える、請求項１に記載の方法。
【請求項６】
前記データは、
フォアグラウンドアプリケーションに関連付けられ、かつ前記第２のデバイスの第１の領域上に表示するために構成された第１のデータと、
バックグラウンドアプリケーションに関連付けられ、かつ前記第２のデバイスの第２の領域上に表示するために構成された第２のデータと
を備え、
前記第１の領域は前記第２の領域よりも大きい、請求項１に記載の方法。
【請求項７】
前記プロファイルは、オペレーティングシステム、周辺機器コンポーネント、ディスプレイサイズ、ディスプレイ解像度、タッチスクリーン能力、フォントタイプ、ユーザ設定、ハードウェアコンポーネント、またはソフトウェアモジュールのうちの少なくとも１つをさらに備える、請求項１に記載の方法。
【請求項８】
ワイヤレス通信のための装置であって、
デバイスとのワイヤレスドッキングセッションを確立するための手段と、
前記デバイスのプロファイルが前記装置に記憶された複数のプロファイルのうちの１つと一致するかどうかを決定するための手段と、ここにおいて、前記プロファイルは、オペレーティングシステムのユーザインターフェースを特徴付けるパラメータまたは関数のうちの少なくとも１つのセットを備え、前記装置の前記オペレーティングシステムのユーザインターフェースを特徴付けるパラメータまたは関数のうちの前記少なくとも１つの前記セットの少なくとも１つが、前記デバイスの前記オペレーティングシステムのユーザインターフェースを特徴付けるパラメータまたは関数のうちの前記少なくとも１つの前記セットと同じであるときに、プロファイルが一致する、
前記デバイスの前記プロファイルが前記装置に記憶された前記複数のプロファイルのうちの１つと一致するときに、前記デバイスの前記オペレーティングシステムのユーザインターフェースに対応する視覚化を前記デバイスに与えるフォーマットで前記デバイスにデータをエクスポートするための手段と
を備える、装置。
【請求項９】
前記デバイスの前記プロファイルが前記装置に記憶された前記複数のプロファイルのうちの１つと一致しないときに、エラーメッセージを提供するための手段
をさらに備える、請求項８に記載の装置。
【請求項１０】
前記デバイスの前記プロファイルが前記装置に記憶された前記複数のプロファイルのうちの１つと一致しないときに、前記装置のデフォルトのプロファイルに関連付けられたフォーマットで前記デバイスにデータをエクスポートするための手段
をさらに備える、請求項８に記載の装置。
【請求項１１】
前記デバイスが前記装置の近接範囲内にあるときに前記デバイス上に表示するための通知を提供するための手段と、
前記デバイスが前記装置の前記近接範囲を越えているときに前記装置上に表示するための前記通知を提供するための手段と
をさらに備える、請求項８に記載の装置。
【請求項１２】
帯域幅利用可能性に基づいて前記デバイスにエクスポートするための前記データの属性を調整するための手段
をさらに備え、オプションとして、
前記属性は、ファイルサイズ、リフレッシュレート、ディスプレイ解像度、ビットレート、品質パラメータ、またはドメインのうちの少なくとも１つを備える、請求項８に記載の装置。
【請求項１３】
前記データは、
フォアグラウンドアプリケーションに関連付けられ、かつ前記デバイスの第１の領域上に表示するために構成された第１のデータと、
バックグラウンドアプリケーションに関連付けられ、かつ前記デバイスの第２の領域上に表示するために構成された第２のデータと
を備え、
前記第１の領域は前記第２の領域よりも大きい、請求項８に記載の装置。
【請求項１４】
前記プロファイルは、オペレーティングシステム、周辺機器コンポーネント、ディスプレイサイズ、ディスプレイ解像度、タッチスクリーン能力、フォントタイプ、ユーザ設定、ハードウェアコンポーネント、またはソフトウェアモジュールのうちの少なくとも１つをさらに備える、請求項８に記載の装置。
【請求項１５】
第１のデバイスのコンピュータ可読媒体であって、前記コンピュータ可読媒体は、請求項１〜７のいずれか一項に記載のステップを実施するために構成されたコンピュータ実行可能コードを備える、コンピュータ可読媒体。
【手続補正２】
【補正対象書類名】明細書
【補正対象項目名】００７２
【補正方法】変更
【補正の内容】
【００７２】
[0077]  先の説明は、当業者が本明細書に説明された様々な態様を実現することを可能にするために提供されている。これらの態様に対する様々な修正は、当業者にとって容易に明らかになり、本明細書で定義される包括的な原理は他の態様に適用され得る。したがって、特許請求の範囲は、本明細書に示された態様に限定されるように意図されたものではなく、特許請求の範囲の文言と矛盾しない最大範囲であると認められるべきであり、ここにおいて、単数のエレメントへの参照は、そのように明確に記載されていない限り、「１つおよび１つのみ」を意味するように意図されたものではなく、むしろ「１つまたは複数」を意味するように意図されている。そうでないことが明確に記載されていない限り、「いくつかの」という用語は１つまたは複数を指す。項目のリスト「のうちの少なくとも１つ」を指すフレーズは、単一のメンバを含む、それら項目の任意の組み合わせを指す。例として、「ａ、ｂ、またはｃのうちの少なくとも１つ」は、ａ；ｂ；ｃ；ａおよびｂ；ａおよびｃ；ｂおよびｃ；ならびにａ、ｂ、およびｃをカバーするように意図されている。当業者には既知の、または後に知られることになる本開示全体を通して説明される様々な態様のエレメントに対するすべての構造的および機能的な均等物が、参照によって本明細書に明確に組み込まれ、特許請求の範囲によって包含されるように意図されている。さらに、本明細書に開示されたことのいずれも、そのような開示が特許請求の範囲において明示的に記載されているかどうかにかかわらず公共に寄与されるようには意図されていない。請求項のエレメントのいずれも、そのエレメントが「〜のための手段」というフレーズを使用して明確に記載されていない限り、または、方法の請求項の場合には、そのエレメントが「〜のためのステップ」というフレーズを使用して記載されていない限り、米国特許法第１１２条（ｆ）の規定のもとで解釈されるべきではない。
以下に、本願の出願当初の特許請求の範囲に記載された発明を付記する。
［Ｃ１］
第１のデバイスによって行われる方法であって、
第２のデバイスとのワイヤレスドッキングセッションを確立することと、
前記第２のデバイスのプロファイルが前記第１のデバイスに記憶された複数のプロファイルのうちの１つと一致するかどうかを決定することと、
前記第２のデバイスの前記プロファイルが前記第１のデバイスに記憶された前記複数のプロファイルのうちの１つと一致するときに、前記第２のデバイスの前記プロファイルに関連付けられたフォーマットで前記第２のデバイスにデータをエクスポートすることと  を備える、方法。
［Ｃ２］
前記第２のデバイスの前記プロファイルが前記第１のデバイスに記憶された前記複数のプロファイルのうちの１つと一致しないときに、エラーメッセージを提供すること
をさらに備える、Ｃ１に記載の方法。
［Ｃ３］
前記第２のデバイスの前記プロファイルが前記第１のデバイスに記憶された前記複数のプロファイルのうちの１つと一致しないときに、前記第１のデバイスのデフォルトのプロファイルに関連付けられたフォーマットで前記第２のデバイスにデータをエクスポートすること
をさらに備える、Ｃ１に記載の方法。
［Ｃ４］
前記第２のデバイスが前記第１のデバイスの近接範囲内にあるときに前記第２のデバイス上に表示するための通知を提供することと、
前記第２のデバイスが前記第１のデバイスの前記近接範囲を越えているときに前記第１のデバイス上に表示するための前記通知を提供することと
をさらに備える、Ｃ１に記載の方法。
［Ｃ５］
帯域幅利用可能性に基づいて前記第２のデバイスにエクスポートするための前記データの属性を調整すること
をさらに備える、Ｃ１に記載の方法。
［Ｃ６］
前記属性は、ファイルサイズ、リフレッシュレート、ディスプレイ解像度、ビットレート、品質パラメータ、またはドメインのうちの少なくとも１つを備える、Ｃ５に記載の方法。
［Ｃ７］
前記データは、
フォアグラウンドアプリケーションに関連付けられ、かつ前記第２のデバイスの第１の領域上に表示するために構成された第１のデータと、
バックグラウンドアプリケーションに関連付けられ、かつ前記第２のデバイスの第２の領域上に表示するために構成された第２のデータと
を備え、
前記第１の領域は前記第２の領域よりも大きい、Ｃ１に記載の方法。
［Ｃ８］
前記プロファイルは、オペレーティングシステム、周辺機器コンポーネント、ディスプレイサイズ、ディスプレイ解像度、タッチスクリーン能力、フォントタイプ、ユーザ設定、ハードウェアコンポーネント、またはソフトウェアモジュールのうちの少なくとも１つを備える、Ｃ１に記載の方法。
［Ｃ９］
ワイヤレス通信のための装置であって、
トランシーバと、
メモリと、
前記トランシーバおよび前記メモリに通信可能に結合され、かつ、
デバイスとのワイヤレスドッキングセッションを確立することと、
前記デバイスのプロファイルが前記装置に記憶された複数のプロファイルのうちの１つと一致するかどうかを決定することと、
前記デバイスの前記プロファイルが前記装置に記憶された前記複数のプロファイルのうちの１つと一致するときに、前記デバイスの前記プロファイルに関連付けられたフォーマットで前記デバイスにデータをエクスポートすることと
を行うように構成された、少なくとも１つのプロセッサと
を備える、装置。
［Ｃ１０］
前記少なくとも１つのプロセッサは、
前記デバイスの前記プロファイルが前記装置に記憶された前記複数のプロファイルのうちの１つと一致しないときに、エラーメッセージを提供すること
を行うようにさらに構成される、Ｃ９に記載の装置。
［Ｃ１１］
前記少なくとも１つのプロセッサは、
前記デバイスの前記プロファイルが前記装置に記憶された前記複数のプロファイルのうちの１つと一致しないときに、前記装置のデフォルトのプロファイルに関連付けられたフォーマットで前記デバイスにデータをエクスポートすること
を行うようにさらに構成される、Ｃ９に記載の装置。
［Ｃ１２］
前記少なくとも１つのプロセッサは、
前記デバイスが前記装置の近接範囲内にあるときに前記デバイス上に表示するための通知を提供することと、
前記デバイスが前記装置の前記近接範囲を越えているときに前記装置上に表示するための前記通知を提供することと
を行うようにさらに構成される、Ｃ９に記載の装置。
［Ｃ１３］
前記少なくとも１つのプロセッサは、
帯域幅利用可能性に基づいて前記デバイスにエクスポートするための前記データの属性を調整すること
を行うようにさらに構成される、Ｃ９に記載の装置。
［Ｃ１４］
前記属性は、ファイルサイズ、リフレッシュレート、ディスプレイ解像度、ビットレート、品質パラメータ、またはドメインのうちの少なくとも１つを備える、Ｃ１３に記載の装置。
［Ｃ１５］
前記データは、
フォアグラウンドアプリケーションに関連付けられ、かつ前記デバイスの第１の領域上に表示するために構成された第１のデータと、
バックグラウンドアプリケーションに関連付けられ、かつ前記デバイスの第２の領域上に表示するために構成された第２のデータと
を備え、
前記第１の領域は前記第２の領域よりも大きい、Ｃ９に記載の装置。
［Ｃ１６］
前記プロファイルは、オペレーティングシステム、周辺機器コンポーネント、ディスプレイサイズ、ディスプレイ解像度、タッチスクリーン能力、フォントタイプ、ユーザ設定、ハードウェアコンポーネント、またはソフトウェアモジュールのうちの少なくとも１つを備える、Ｃ９に記載の装置。
［Ｃ１７］
ワイヤレス通信のための装置であって、
デバイスとのワイヤレスドッキングセッションを確立するための手段と、
前記デバイスのプロファイルが前記装置に記憶された複数のプロファイルのうちの１つと一致するかどうかを決定するための手段と、
前記デバイスの前記プロファイルが前記装置に記憶された前記複数のプロファイルのうちの１つと一致するときに、前記デバイスの前記プロファイルに関連付けられたフォーマットで前記デバイスにデータをエクスポートするための手段と
を備える、装置。
［Ｃ１８］
前記デバイスの前記プロファイルが前記装置に記憶された前記複数のプロファイルのうちの１つと一致しないときに、エラーメッセージを提供するための手段
をさらに備える、Ｃ１７に記載の装置。
［Ｃ１９］
前記デバイスの前記プロファイルが前記装置に記憶された前記複数のプロファイルのうちの１つと一致しないときに、前記装置のデフォルトのプロファイルに関連付けられたフォーマットで前記デバイスにデータをエクスポートするための手段
をさらに備える、Ｃ１７に記載の装置。
［Ｃ２０］
前記デバイスが前記装置の近接範囲内にあるときに前記デバイス上に表示するための通知を提供するための手段と、
前記デバイスが前記装置の前記近接範囲を越えているときに前記装置上に表示するための前記通知を提供するための手段と
をさらに備える、Ｃ１７に記載の装置。
［Ｃ２１］
帯域幅利用可能性に基づいて前記デバイスにエクスポートするための前記データの属性を調整するための手段
をさらに備える、Ｃ１７に記載の装置。
［Ｃ２２］
前記属性は、ファイルサイズ、リフレッシュレート、ディスプレイ解像度、ビットレート、品質パラメータ、またはドメインのうちの少なくとも１つを備える、Ｃ２１に記載の装置。
［Ｃ２３］
前記データは、
フォアグラウンドアプリケーションに関連付けられ、かつ前記デバイスの第１の領域上に表示するために構成された第１のデータと、
バックグラウンドアプリケーションに関連付けられ、かつ前記デバイスの第２の領域上に表示するために構成された第２のデータと
を備え、
前記第１の領域は前記第２の領域よりも大きい、Ｃ１７に記載の装置。
［Ｃ２４］
前記プロファイルは、オペレーティングシステム、周辺機器コンポーネント、ディスプレイサイズ、ディスプレイ解像度、タッチスクリーン能力、フォントタイプ、ユーザ設定、ハードウェアコンポーネント、またはソフトウェアモジュールのうちの少なくとも１つを備える、Ｃ１７に記載の装置。
［Ｃ２５］
第１のデバイスのコンピュータ可読媒体であって、前記コンピュータ可読媒体は、
第２のデバイスとのワイヤレスドッキングセッションを確立することと、
前記第２のデバイスのプロファイルが前記第１のデバイスに記憶された複数のプロファイルのうちの１つと一致するかどうかを決定することと、
前記第２のデバイスの前記プロファイルが前記第１のデバイスに記憶された前記複数のプロファイルのうちの１つと一致するときに、前記第２のデバイスの前記プロファイルに関連付けられたフォーマットで前記第２のデバイスにデータをエクスポートすることと  を行うために構成されたコンピュータ実行可能コードを備える、コンピュータ可読媒体。
［Ｃ２６］
前記コンピュータ実行可能コードは、
前記第２のデバイスの前記プロファイルが前記第１のデバイスに記憶された前記複数のプロファイルのうちの１つと一致しないときに、エラーメッセージを提供すること
を行うためにさらに構成される、Ｃ２５に記載のコンピュータ可読媒体。
［Ｃ２７］
前記コンピュータ実行可能コードは、
前記第２のデバイスの前記プロファイルが前記第１のデバイスに記憶された前記複数のプロファイルのうちの１つと一致しないときに、前記第１のデバイスのデフォルトのプロファイルに関連付けられたフォーマットで前記第２のデバイスにデータをエクスポートすること
を行うためにさらに構成される、Ｃ２５に記載のコンピュータ可読媒体。
［Ｃ２８］
前記コンピュータ実行可能コードは、
前記第２のデバイスが前記第１のデバイスの近接範囲内にあるときに前記第２のデバイス上に表示するための通知を提供することと、
前記第２のデバイスが前記第１のデバイスの前記近接範囲を越えているときに前記第１のデバイス上に表示するための前記通知を提供することと
を行うためにさらに構成される、Ｃ２５に記載のコンピュータ可読媒体。
［Ｃ２９］
前記コンピュータ実行可能コードは、
帯域幅利用可能性に基づいて前記第２のデバイスにエクスポートするための前記データの属性を調整すること
を行うためにさらに構成される、Ｃ２５に記載のコンピュータ可読媒体。
［Ｃ３０］
前記データは、
フォアグラウンドアプリケーションに関連付けられ、かつ前記第２のデバイスの第１の領域上に表示するために構成された第１のデータと、
バックグラウンドアプリケーションに関連付けられ、かつ前記第２のデバイスの第２の領域上に表示するために構成された第２のデータと
を備え、
前記第１の領域は前記第２の領域よりも大きい、Ｃ２５に記載のコンピュータ可読媒体。